【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
（ｉ）印刷方向および印刷幅方向を定めるマルチノズルおよびマルチヘッドプリントバーを備え、（ｉｉ）デジタル入力画像をターゲット表面への液滴塗着によってインク画像に変換するように構成された印刷システムによるデジタル印刷の方法であって、前記方法は、
ａ．ｉ．前記印刷システムの前記プリントバーによってデジタル入力較正画像ＤＩＣＩを前記ターゲット表面に印刷し、インク較正画像を生成すること、
ｉｉ．前記インク較正画像を光学的に撮像し、デジタル出力較正画像ＤＯＣＩを得ること、
ｉｉｉ．前記デジタル出力較正画像ＤＯＣＩから、前記プリントバー全体の代表プリントバー階調再現関数ｔｒｆ（ｂａｒ）を計算すること、
ｉｖ．前記デジタル出力較正画像ＤＯＣＩの複数のスライス｛ｓｌｉｃｅ１（ＤＯＣＩ）、ｓｌｉｃｅ２（ＤＯＣＩ）、・・・、ｓｌｉｃｅＮ（ＤＯＣＩ）｝の各スライスｓｌｉｃｅｉ（ＤＯＣＩ）について、それぞれのスライス固有階調再現関数ｔｒｆ（ｓｌｉｃｅｉ（ＤＯＣＩ））を計算すること、および
ｖ．前記スライス固有階調再現関数および／または前記プリントバー階調再現関数から、プリントバー全域画像補正関数ＩＣＦ（印刷幅方向位置、階調値）を導出すること
によって較正を実行することと、
ｂ．前記画像補正関数ＩＣＦを未補正デジタル画像ＵＤＩに適用して補正デジタル画像ＣＤＩを計算することと、
ｃ．前記印刷システムによって前記補正デジタル画像ＣＤＩを印刷することと、
を備え、
Ａ．前記印刷システムは、前記プリントバーによって生成された画像が１つおきの単一プリントヘッドスライスとインタレーススライスとに分割可能であるように構成され、Ｂ．前記単一プリントヘッドスライスにおいて、前記ＩＣＦは主に領域内ＤＯＣＩデータから導出され、ｉｉｉ．前記インタレーススライスにおいて、前記ＩＣＦは主に領域外ＤＯＣＩデータの補外によって導出される、方法。
【請求項２】
ｉ．前記較正は更に、前記複数のスライスのスライスｓｌｉｃｅｉ（ＤＯＣＩ）ごとに、それぞれのスライス固有階調再現関数のそれぞれの逆関数を前記代表プリントバー階調再現関数ｔｒｆ（ｂａｒ）に適用し、スライス固有階調シフト関数の階調シフト関数セットｔｓｆｓ（ＤＯＣＩ）＝｛ｔｓｆ＿ｓｌｉｃｅ１（ＤＯＣＩ）（階調値）、ｔｓｆ＿ｓｌｉｃｅ２（ＤＯＣＩ）（階調値）、・・・、ｔｓｆ＿ｓｌｉｃｅＮ（ＤＯＣＩ）（階調値）｝を生じることを備え、
ｉｉ．前記プリントバー全域画像補正関数ＩＣＦ（印刷幅方向位置、階調値）は、前記スライス固有階調シフト関数の階調シフト関数セットｔｓｆｓ（ＤＯＣＩ）から導出される、
請求項１に記載の方法。
【請求項３】
前記ターゲット表面は、前記印刷システムの中間転写部材（ＩＴＭ）の表面であり、前記インク画像は、前記液滴塗着によって前記ＩＴＭ表面に形成され、その後、前記ＩＴＭから印刷基板へ転写される、請求項１に記載の方法。
【請求項４】
前記ＩＴＭはドラムである、請求項３に記載の方法。
【請求項５】
前記ＩＴＭはベルトである、請求項３に記載の方法。
【請求項６】
デジタル入力画像をターゲット表面への液滴塗着によってインク画像に変換するように構成された印刷システムによるデジタル印刷の方法であって、前記印刷システムは、印刷方向および印刷幅方向を定めるマルチノズルおよびマルチヘッドプリントバーを備え、前記方法は、
ａ．ｉ．前記印刷システムの前記プリントバーによってデジタル入力較正画像ＤＩＣＩを前記ターゲット表面に印刷し、インク較正画像を生成すること、
ｉｉ．前記インク較正画像を光学的に撮像し、デジタル出力較正画像ＤＯＣＩを得ること、
ｉｉｉ．前記デジタル出力較正画像ＤＯＣＩから、前記プリントバー全体の代表プリントバー階調再現関数ｔｒｆ（ｂａｒ）を計算すること、
ｉｖ．前記デジタル出力較正画像ＤＯＣＩの複数のスライス｛ｓｌｉｃｅ１（ＤＯＣＩ）、ｓｌｉｃｅ２（ＤＯＣＩ）、・・・、ｓｌｉｃｅＮ（ＤＯＣＩ）｝の各スライスｓｌｉｃｅｉ（ＤＯＣＩ）について、それぞれのスライス固有階調再現関数ｔｒｆ（ｓｌｉｃｅｉ（ＤＯＣＩ））を計算すること、
ｖ．前記複数のスライスのスライスｓｌｉｃｅｉ（ＤＯＣＩ）ごとに、それぞれのスライス固有階調再現関数のそれぞれの逆関数を前記代表プリントバー階調再現関数ｔｒｆ（ｂａｒ）に適用し、スライス固有階調シフト関数の階調シフト関数セットｔｓｆｓ（ＤＯＣＩ）＝｛ｔｓｆ＿ｓｌｉｃｅ１（ＤＯＣＩ）（階調値）、ｔｓｆ＿ｓｌｉｃｅ２（ＤＯＣＩ）（階調値）、・・・、ｔｓｆ＿ｓｌｉｃｅＮ（ＤＯＣＩ）（階調値）｝を生じること、および
ｖｉ．前記スライス固有階調シフト関数の階調シフト関数セットｔｓｆｓ（ＤＯＣＩ）から、プリントバー全域画像補正関数ＩＣＦ（印刷幅方向位置、階調値）を導出すること
によって較正を実行することと、
ｂ．前記画像補正関数ＩＣＦを未補正デジタル画像ＵＤＩに適用して補正デジタル画像ＣＤＩを計算することと、
ｃ．前記印刷システムによって前記補正デジタル画像ＣＤＩを印刷することと、
を備える、方法。
【請求項７】
ｉ．前記印刷システムは、前記プリントバーによって生成された画像が１つおきの単一プリントヘッドスライスとインタレーススライスとに分割可能であるように構成され、
ｉｉ．前記単一プリントヘッドスライスにおいて、前記ＩＣＦは主に領域内ＤＯＣＩデータから導出され、
ｉｉｉ．前記インタレーススライスにおいて、前記ＩＣＦは主に領域外ＤＯＣＩデータの補外によって導出される、
請求項６に記載の方法。
【請求項８】
デジタル印刷システムであって、
ａ．受信した電気印刷信号に依存してターゲット表面にインク液を塗着し、前記ターゲット表面にインク画像を形成するためのマルチノズルおよびマルチヘッドプリントバーであって、印刷方向および印刷幅方向を定め、前記マルチヘッドプリントバーによって生成されたインク画像が１つおきの単一プリントヘッドスライスとインタレーススライスとに分割可能であるように構成されたマルチノズルおよびマルチヘッドプリントバーと、
ｂ．データを処理し、前記電気印刷信号を生成して前記プリントバーを制御するためのコンピュータシステムであって、前記コンピュータシステムは、
ｉ．校正を実行することであって、
Ａ．前記プリントバーに、前記ターゲット表面にデジタル入力較正画像ＤＩＣＩを印刷してインク較正画像を生成させること、
Ｂ．前記ＤＩＣＩが光学的に撮像され、前記インク較正画像を表すデジタル出力較正画像ＤＯＣＩが生じた後、前記ＤＯＣＩを処理し、前記ＤＯＣＩから前記プリントバー全体の代表プリントバー階調再現関数ｔｒｆ（ｂａｒ）を計算すること、
Ｃ．前記デジタル出力較正画像ＤＯＣＩの複数のスライス｛ｓｌｉｃｅ１（ＤＯＣＩ）、ｓｌｉｃｅ２（ＤＯＣＩ）、・・・、ｓｌｉｃｅＮ（ＤＯＣＩ）｝の各スライスｓｌｉｃｅｉ（ＤＯＣＩ）について、それぞれのスライス固有階調再現関数ｔｒｆ（ｓｌｉｃｅｉ（ＤＯＣＩ））を計算すること、および
Ｄ．前記スライス固有階調再現関数および／または前記プリントバー階調再現関数からプリントバー全域画像補正関数ＩＣＦ（印刷幅方向位置、階調値）を導出することであって、前記単一プリントヘッドスライスにおいて前記ＩＣＦは主に領域内ＤＯＣＩデータから導出され、前記インタレーススライスにおいて前記ＩＣＦは主に領域外ＤＯＣＩデータの補外によって導出されること
によって較正を実行し、
ｉｉ．前記画像補正関数ＩＣＦを未補正デジタル画像ＵＤＩに適用して補正デジタル画像ＣＤＩを計算し、
ｉｉｉ．前記プリントバーに、前記補正デジタル画像ＣＤＩを前記ターゲット表面に印刷させる
ように構成される、コンピュータシステムと、
を備える、デジタル印刷システム。
【請求項９】
ｉ．前記コンピュータシステムは更に、前記複数のスライスのスライスｓｌｉｃｅｉ（ＤＯＣＩ）ごとに、それぞれのスライス固有階調再現関数のそれぞれの逆関数を前記代表プリントバー階調再現関数ｔｒｆ（ｂａｒ）に適用し、スライス固有階調シフト関数の階調シフト関数セットｔｓｆｓ（ＤＯＣＩ）＝｛ｔｓｆ＿ｓｌｉｃｅ１（ＤＯＣＩ）（階調値）、ｔｓｆ＿ｓｌｉｃｅ２（ＤＯＣＩ）（階調値）、・・・、ｔｓｆ＿ｓｌｉｃｅＮ（ＤＯＣＩ）（階調値）｝を生じることによって、前記較正を実行するように構成され、
ｉｉ．前記コンピュータシステムは更に、前記スライス固有階調シフト関数の階調シフト関数セットｔｓｆｓ（ＤＯＣＩ）から前記プリントバー全域画像補正関数ＩＣＦ（印刷幅方向位置、階調値）を導出するように構成される、
請求項８に記載のデジタル印刷システム。
【請求項１０】
デジタル印刷システムであって、
ａ．受信した電気印刷信号に依存してターゲット表面にインク液を塗着し、前記ターゲット表面にインク画像を形成するためのマルチノズルおよびマルチヘッドプリントバーであって、印刷方向および印刷幅方向を定めるマルチノズルおよびマルチヘッドプリントバーと、
ｂ．データを処理し、前記電気印刷信号を生成して前記プリントバーを制御するためのコンピュータシステムであって、前記コンピュータシステムは、
ｉ．Ａ．前記プリントバーに、前記ターゲット表面にデジタル入力較正画像ＤＩＣＩを印刷してインク較正画像を生成させること、
Ｂ．前記ＤＩＣＩが光学的に撮像され、前記インク較正画像を表すデジタル出力較正画像ＤＯＣＩが生じた後、前記ＤＯＣＩを処理し、前記ＤＯＣＩから前記プリントバー全体の代表プリントバー階調再現関数ｔｒｆ（ｂａｒ）を計算すること、
Ｃ．前記デジタル出力較正画像ＤＯＣＩの複数のスライス｛ｓｌｉｃｅ１（ＤＯＣＩ）、ｓｌｉｃｅ２（ＤＯＣＩ）、・・・、ｓｌｉｃｅＮ（ＤＯＣＩ）｝の各スライスｓｌｉｃｅｉ（ＤＯＣＩ）について、それぞれのスライス固有階調再現関数ｔｒｆ（ｓｌｉｃｅｉ（ＤＯＣＩ））を計算すること、
Ｄ．前記複数のスライスのスライスｓｌｉｃｅｉ（ＤＯＣＩ）ごとに、それぞれのスライス固有階調再現関数のそれぞれの逆関数を前記代表プリントバー階調再現関数ｔｒｆ（ｂａｒ）に適用し、スライス固有階調シフト関数の階調シフト関数セットｔｓｆｓ（ＤＯＣＩ）＝｛ｔｓｆ＿ｓｌｉｃｅ１（ＤＯＣＩ）（階調値）、ｔｓｆ＿ｓｌｉｃｅ２（ＤＯＣＩ）（階調値）、・・・、ｔｓｆ＿ｓｌｉｃｅＮ（ＤＯＣＩ）（階調値）｝を生じること、および
Ｅ．前記スライス固有階調シフト関数の階調シフト関数セットｔｓｆｓ（ＤＯＣＩ）からプリントバー全域画像補正関数ＩＣＦ（印刷幅方向位置、階調値）を導出すること
によって較正を実行し、
ｉｉ．前記画像補正関数ＩＣＦを未補正デジタル画像ＵＤＩに適用して補正デジタル画像ＣＤＩを計算し、
ｉｉｉ．前記プリントバーに、前記補正デジタル画像ＣＤＩを前記ターゲット表面に印刷させる
ように構成される、コンピュータシステムと、
を備える、デジタル印刷システム。
【請求項１１】
前記デジタル印刷システムは、
ｃ．中間転写部材（ＩＴＭ）と、
ｄ．押印ステーションと
を更に備え、
（ｉ）前記プリントバーによって前記インク画像が形成される前記ターゲット表面は前記ＩＴＭの表面であり、
（ｉｉ）前記ＩＴＭは、前記ＩＴＭ表面に形成されたインク画像がその後前記押印ステーションに向かうように進まされ、
（ｉｉｉ）前記インク画像は、前記押印ステーションにおいて前記ＩＴＭから基板へ転写される、請求項１０に記載のデジタル印刷システム。
【請求項１２】
前記ＩＴＭはドラムである、請求項１１に記載のデジタル印刷システム。
【請求項１３】
前記ＩＴＭはベルトである、請求項１１に記載のデジタル印刷システム。